(57)【要約】      （修正有）【課題】断熱内扉の表面に結露して流下する結露水を確実に排水することができ、内扉開放時に結露水が樋からこぼれるのを防止することが可能な自動販売機を提供する。【解決手段】断熱内扉１０を備えた自動販売機においては、庫内を冷却した場合に断熱内扉１０の表面に結露が発生することから前記断熱内扉１０の下縁に沿ってその表面に結露して流下する結露水を受ける樋１１を設けて蒸発皿１２に導くように構成されているが、断熱内扉１０を開けた際に樋１１から結露水が流出して床を濡らすことがあるため、前記樋１１から流出する結露水を貯留可能に形成されるとともに蒸発皿１２に対峙する排水口部２１３を有する本体枠２１と、前記断熱内扉１０の開閉に連動して前記排水口部２１３を開閉する開閉蓋２２とを備えた堰き止め手段２０を設け、断熱内扉１１を開けた際には排水口部２１３を開閉蓋２２によって閉塞することにより結露水がこぼれないようにする。【選択図】図１
2008097497.tif 000002
【特許請求の範囲】
【請求項１】
断熱筐体として形成された本体キャビネットの商品収納庫を閉塞する断熱内扉を備え、前記断熱内扉の下縁に沿ってその表面に結露して流下する結露水を受ける樋を設け、前記樋を流れる結露水を蒸発皿に導くようにした自動販売機において、前記樋から流出する結露水を貯留可能に形成されるとともに蒸発皿に対峙する排水口部を有する本体部と、前記断熱内扉の開閉に連動して前記排水口部を開閉する開閉蓋とを備えた堰き止め手段を設けたことを特徴とする自動販売機。
【請求項２】
請求項１に記載の自動販売機において、堰き止め手段の本体枠は樋に開口した排水口に連通して配設されていることを特徴とする自動販売機。
【請求項３】
請求項１に記載の自動販売機において、開閉蓋は付勢手段により常時排水口を開ける方向に付勢され、断熱内扉が閉じられた場合に自動販売機の構築部材に当接することにより付勢手段の付勢力に抗して排水口を開けるように構成されていることを特徴とする自動販売機。
【発明の詳細な説明】
【技術分野】
【０００１】
この発明は、断熱筐体として構成された本体キャビネットの商品収納庫における前面を閉塞する断熱内扉を備え、この断熱内扉にその表面に結露して流下する結露水を受けて排水する樋を設けた自動販売機に関する。
【背景技術】
【０００２】
断熱筐体として構成された本体キャビネットの商品収納庫内に商品を収容し、当該商品を冷却してコールド商品として販売する自動販売機においては庫内外の温度差により庫外表面に結露が生じることがある。特に、商品を補充するために外扉が解放される商品収納庫前面は外気に晒されることから庫内外の温度差が大きくなる。このため、商品収納庫の前面を閉塞する断熱内扉の表面には結露が生じることが知られており、この結露して流下する結露水が自動販売機の前面に漏れ出さないように樋を設けるたものが公知である。
図４は缶飲料，ペットボトルなどの商品を販売する一般的な自動販売機の構成を示す斜視図であり、図において、１は前面が開放した本体キャビネットであり、この本体キャビネット１は鋼板製の外箱の内側、すなわち、上壁，左右側壁，背壁および底壁１ａにウレタンフォームからなる断熱ボードを配設して断熱筐体として構成されている。前記本体キャビネット１の断熱ボードで囲まれた商品収納庫内は断熱仕切板２により左右方向に複数の商品収納室３，４，５に区画されている。各商品収納室３，４，５には、缶飲料、ペットボトルなどの商品を収納するとともにその下端に商品を搬出する商品払出機構を有する商品収納ラックＲ（この例ではサーペンタイン式と呼ばれる蛇行した商品通路を有する商品収納ラック）がそれぞれ収設され、また、各商品収納室３，４，５から払い出された商品を搬出するシューターＣの背後には、それぞれの商品収納室３，４，５を冷却もしくは加熱して商品収納ラックに収納した商品を冷蔵（コールド）・温蔵（ホット）状態に保存する冷却／加熱ユニット若しくは冷却ユニットが配設されている。本体キャビネット１の底壁１ａの下部は機械室として形成され、この機械室には前記冷却／加熱ユニットの冷却ユニットと冷凍サイクルを構成する冷凍機のコンデンシングユニットが配設されている。なお、冷却ユニットのみが配設された商品収納室はコールド専用室、冷却／加熱ユニットが配設された商品収納室はホット／コールド室に兼用されている。
図４において、６は本体キャビネット１の前面にヒンジにより開閉自在に装着された外扉である。この外扉６の前面には良く知られているようにディスプレイ台に載置された商品見本のディスプレイ室が形成され、このディスプレイ室の前面を覆う透明板には各商品見本に対応して設けられた商品選択ボタンを備えた商品選択ボタンユニットが配設されている。また、前記外扉６の前面には、外扉６の背面に取付けられた硬貨処理装置７および紙幣処理装置８の硬貨投入口および紙幣投入口、硬貨処理装置７の釣銭返却口、商品取出口９、返却レバー、シリンダー錠付きのハンドルロック装置などが組付けられている。１０は本体キャビネット１における商品収納庫の前面を閉塞する内扉であり、この例では内扉が上下に分割されており、上部の内扉１０は外扉６に一体的に取付けられ、下部の内扉１０は図において左端側を外扉にヒンジ結合されている。また、下部の内扉１０には各商品収納室３，４，５の下部に配置されたシューターＣと対峙する位置に開口した搬出口を閉塞する搬出扉１０ａが設けられている。この搬出扉１０ａは上端を軸支されて常時搬出口を閉塞しており、シューターＣから搬出される商品により押し開かれるように形成されている。
前述した下部の内扉１０の下縁にはその下縁に沿って樋１１が不図示のねじにより固着されている。この樋１１の右端側（下部の内扉１０の自由端側）の底部には排水口（不図示）が開口されており、この排水口に対して左端（下部の内扉１０のヒンジ側）および右端（下部の内扉１０の自由端側）が高くなるようになっている。また、本体キャビネット１における下部の機械室には、図において右端側に蒸発皿１２が配設されている。この蒸発皿１２は庫内から排水された水を貯めるものであり、その蒸発皿１２内には冷凍機のコンデンシングユニットの蒸発コイルが設置され、これにより溜まった水を蒸発させるように構成されている。前記蒸発皿１２の前端は機械室の前面を塞ぐ遮蔽板１３の開口を貫通して前面に露出している。この蒸発皿１２の前面に露出した部位は、下部の内扉１０を閉じた場合にその下縁に固着された樋１１の排水口の下方に位置するように構成されており、これにより内扉１０の表面に結露して流下した結露水が蒸発皿１２に導かれる（例えば、特許文献１）。
【特許文献１】特開平８−３２０９６２号公報
【発明の開示】
【発明が解決しようとする課題】
【０００３】
前述した従来の自動販売機は内扉１０が閉じられている自動販売機の稼動中においては内扉の表面に結露して流下する結露水が樋１１を介して蒸発皿１２に導かれることから、内扉１０の表面に結露して流下する結露水が自動販売機の前面に漏れ出すことはない。一方、商品収納庫や商品収納ラックの点検時などにおいては内扉１０が解放される。この内扉１０を解放した際、樋１１に溜まった排水が間に合わずに樋１１に結露水が残っているとその排水口から結露水が滴下して自動販売機の基台や床を濡らしてしまうという課題を有する。この課題を解決するため、樋１１における排水口に蓋を設け、内扉１０を解放する際には前記蓋を閉じて排水口から結露水が滴下するのを防止することが考えられる。しかしながら、前記樋１１は大量の水を流すものではないことやコストを削減するために浅底に形成されていることから内扉１０を開閉する場合に樋１１に溜まった結露水がこぼれ落ちるおそれがある。
本発明は上記の点に鑑みなされたものであり、その目的は前記課題を解決し、断熱内扉の表面に結露して流下する結露水を確実に排水することができ、断熱内扉開放時にも結露水がこぼれるのを防止することが可能な自動販売機を提供することにある。
【課題を解決するための手段】
【０００４】
上記目的を達成するために本発明によれば、断熱筐体として形成された本体キャビネットの商品収納庫を閉塞する断熱内扉を備え、前記断熱内扉の下縁に沿ってその表面に結露して流下する結露水を受ける樋を設け、前記樋を流れる結露水を蒸発皿に導くようにした自動販売機において、前記樋から流出する結露水を貯留可能に形成されるとともに蒸発皿に対峙する排水口部を有する本体枠と、前記断熱内扉の開閉に連動して前記排水口部を開閉する開閉蓋とを備えた堰き止め手段を設けたことを特徴とする（請求項１）。
また、本発明によれば、堰き止め手段の本体枠は樋に開口した排水口に連通して配設させることができ（請求項２）、さらに、開閉蓋は付勢手段により常時排水口を開ける方向に付勢され、断熱内扉が閉じられた場合に自動販売機の構築部材に当接することにより付勢手段の付勢力に抗して排水口を開けるようにするのが好適である（請求項３）。
【発明の効果】
【０００５】
前述したように構成された請求項１にかかる発明によれば、樋から流出する結露水を貯留可能に形成されるとともに蒸発皿に対峙する排水口部を有する本体枠と、前記断熱内扉の開閉に連動して前記排水口部を開閉する開閉蓋とを備えた堰き止め手段を設けたことにより、断熱内扉が閉じられている場合には堰き止め手段の開閉蓋が本体枠の排水口部を解放しており、これにより断熱内扉の表面に結露して流下する結露水が樋から堰き止め手段を介して蒸発皿に導かれ、断熱内扉が解放された場合には堰き止め手段の開閉蓋が本体枠の排水口部を閉鎖することにより、断熱内扉の表面に結露して流下する結露水が樋から堰き止め手段の本体枠内に貯留される。このように、断熱内扉を開放した際にも樋に溜まった結露水は堰き止め手段の本体枠内に滴下して貯留されることによって樋に溜まった結露水が自動販売機の基台や床に落ちて濡らしてしまうことを防止できる。
また、請求項２に係る発明のように、堰き止め手段の本体枠は樋に開口した排水口に連通して配設させることによって、樋から流出する結露水を確実に堰き止め手段の本体枠に収集することができる。さらに、請求項３に係る発明のように、開閉蓋は付勢手段により常時排水口を開ける方向に付勢され、断熱内扉が閉じられた場合に自動販売機の構築部材に当接することにより付勢手段の付勢力に抗して排水口を開けるようにすることにより、堰き止め手段における開閉蓋が本体枠の排水口部を断熱内扉の開閉に応じて自動的に開閉することから開閉蓋を閉じ忘れるという人為的ミスをなくすことができる。
【発明を実施するための最良の形態】
【０００６】
以下、本発明の実施の形態を図１に示す実施例に基づいて説明する。図１は本発明の堰き止め手段を示す要部拡大断面図であり、図４に示す蒸発皿１２の部位の断面に相当するものである。図２は堰き止め手段の斜視図であり、図２の（ａ）は堰き止め手段を前方斜め上方から見た斜視図、図２の（ｂ）は堰き止め手段を背面斜め上方から見た斜視図であり、図３は図２の（ａ）に示す堰き止め手段の一部を破断（樋を一点鎖線で示す）した斜視図である。なお、図１〜図３において図４に示す部材と同一のものには同一の符号を付している。
図１において、１０で再び断熱内扉を示し、この断熱内扉１０はウレタンフォームを所定形状（長方形）に裁断した断熱ボード１０１として形成され、断熱ボード１０１の４つの周縁が鋼板からなる補強フレーム１０２で囲繞されてなり、図では下辺を囲繞する補強フレーム１０２のみが示されている。前記断熱内扉１１の下縁に沿って樋１１が配設され、この樋１１は鋼板を折り曲げて形成した樋部１１１と固定部１１２とからなる。前記固定部１１２は断熱内扉１０の補強フレーム１０２にねじＳ１により固着され、これによって樋１１が断熱内扉１０と連結されている。そして、断熱内扉１０の表面（前面）に結露して流下する結露水が樋１１の固定部１１２を伝って樋部１１１に捕集される。
前記樋１１の樋部１１１における右端側には排水口１１３が開口され、この排水口１１３は図２（ａ）の斜視図に示すように樋部１１１を切欠いて形成されている。また、前記樋１１は排水口１１３の部位が最も低くなり、当該排水口１１３の部位から左右に延在する樋部１１１が漸次上向きに傾斜するようＶ字状に形成されている。前記排水口１１３に近接して本発明の堰き止め手段２０が配設されている。この堰き止め手段２０は本体枠２１と開閉蓋２２とからなる。
前記堰き止め手段２０の本体枠２１は薄板鋼板からなり、前方から後方に向かって漸次下向きに傾斜するとともに断面Ｖ字状に形成された底面部２１１と、この底面部２１１の後方部位から上方に立ち上がる左右の側壁部２１２とからなり、底面部２１１と左右の側壁部２１２におけるそれぞれの後端は面一に形成され、底面部２１１の後端が排水口部２１３として形成されている。また、左右の側壁部２１２の前端には側壁部２１２に対して垂直に、かつ、外向きに折り曲げられた固定部２１２１（図２参照）が形成されている。前記固定部２１２１は樋１１にねじＳ２で固着されており、これにより本体枠２１が樋１１に一体的に固定されている。前記本体枠２１の底面部２１１の前端部は断熱内扉１０を閉じた際に樋１１の排水口１１３が位置する部位よりも更に前方まで延在され、樋１１の排水口１１３から排水される結露水を受けるように構成されている。
なお、本体キャビネット１の下部における機械室の右端側の蒸発皿１２が配設された部位には遮蔽板１３が設けられ、この遮蔽板１３により機械室が塞がれているが、前記遮蔽板１の蒸発皿１２に対応する箇所には開口１３１が形成されており、この開口１３１を通って前記本体枠２１の排水口部２１３が機械室の内部に入り込むことができるようになっている。そして、前記本体枠２１の排水口部２１３が機械室の内部に入り込んだ状態で前記排水口部２１３が蒸発皿１２の上部に位置するように構成されている。また、図１において、１ｃは本体キャビネット１の基台であり、１ｄは前記基台１ｃに固定された蒸発皿１２の載置台である。
一方、前記堰き止め手段２０の開閉蓋２２は薄板鋼板を折り曲げて段付きレバー状に形成され、その一端側が開閉操作部２２１として、また、他端側が蓋部２２２として形成されている。前記開閉蓋２２の開閉操作部２２１の幅は本体枠２１における左右の側壁２１２間の寸法よりも小さく定められている。また、その開閉操作部２２１の左右両端からはそれぞれ軸支片２２１１（図３参照）が前方に向けて折り曲げられている。これらの軸支片２２１１には本体枠２１の左右側壁２１２に軸支された回動軸２３が貫通しており、これにより開閉蓋２２が回動軸２３に回動自在に軸支されている。また、前記回動軸２３には、付勢ばね２４（図３参照）が巻回されている。この付勢ばね２４の一端は樋１１の背面に当接し、他端は開閉操作部２２１に係合している。これにより付勢ばね２４は開閉蓋２２を回動軸２３を中心として時計方向に回動するように付勢している。前記付勢ばね２４が開閉蓋２２の付勢手段を構成している。さらに、前記開閉操作部２２１の上端は後方に折り曲げられて操作片２２１２（図２、図３参照）として形成されているが、この操作片２２１２の作用については後述する（堰き止め手段２０の動作についての説明の項）。
【０００７】
前記開閉蓋２２における蓋部２２２の先端にはゴムからなるパッキン２５が装着されている。このパッキン２５は、図２に示すように、開閉蓋２２が回動軸２３を中心に時計方向に回動した場合、本体枠２０の排水口部２１３に当接して本体枠２０に貯留される結露水が流出しないように堰き止めるものである。また、パッキン２５が本体枠２０の排水口部２１３に当接した状態において開閉蓋２２が付勢ばね２４により時計方向に付勢されていることからパッキン２５は排水口部２１３に密接するように構成されている。
次に本発明の堰き止め手段の動作について説明する。図１に示すように断熱内扉１０が本体キャビネット１の商品収納庫を閉塞するように閉じられている場合、堰き止め手段２０の本体枠２１における排水口部２１３は本体キャビネット１の下部の遮蔽板１３に形成した開口１３１を通って機械室内部に入り込んでいる。この状態で前記本体枠２１の排水口部２１３は蒸発皿１２の上部に位置している。一方、堰き止め手段２０の開閉蓋２２は、開閉操作部２２１の操作片２２１２（図２、図３参照）が遮蔽板１３に当接している状態で開閉蓋２２の回動軸２３が遮蔽板１３の開口１３１を通って機械室の内部にまで入り込んでいることから、付勢ばね２４の付勢力に抗して反時計方向に回動した状態に維持されている。このように開閉蓋２２が反時計方向に回動した状態では開閉蓋２２のパッキン２５が本体枠２１の排水口部２１３を解放している。したがって、断熱内扉１０の表面に結露して流下する結露水は樋１１および堰き止め手段２０の本体枠２１を介して蒸発皿１２に導かれる。
【０００８】
図１に示したように断熱内扉１０が閉じられた状態から断熱内扉１０が開けられると、堰き止め手段２０の開閉蓋２２における回動軸２３が序序に前方に移動する。これに伴い開閉蓋２２は付勢ばね２４の付勢力により回動軸２３を中心に時計方向に序序に回動する。前記開閉蓋２２の時計方向の回動により蓋部２２２に装着したパッキン２５が本体枠２１の排水口部２１３に接近する。そして、開閉蓋２２における回動軸２３が遮蔽板１３より前方位置に移動するとパッキン２５が本体枠２１の排水口部２１３に当接して開閉蓋２２の時計方向への回動が停止する。このようにして開閉蓋２２の時計方向への回動が停止した後、断熱内扉１０が更に開けられて開閉蓋２２の操作片２２１２が遮蔽板１３から離れると、開閉蓋２２が付勢ばね２４により時計方向に付勢されていることからパッキン２５は本体枠２１の排水口部２１３に押し付けられ、これによりパッキン２５が排水口部２１３に密接して当該排水口部２１３を確実に閉塞する。このようにして断熱内扉１０が開けられた場合にはパッキン２５による排水口部２１３の閉塞状態が維持される。
なお、断熱内扉１０を開け始めてから開閉蓋２２のパッキン２５が本体枠２１の排水口部２１３を閉塞するまでの間は本体枠２１の排水口部２１３から結露水が流出する。このため、蒸発皿１２の前端は遮蔽板１３の開口１３１から前方に露出するように配設している。これによって本体枠２１の排水口部２１３が閉塞されるまでの間に排水口部２１３から流出した結露水は蒸発皿１２に受け止められるので、排水口部２１３から流出した結露水がこぼれて自動販売機の基台１ｃや床を濡らすことはない。
【０００９】
前述したように断熱内扉１０を開けた場合には堰き止め手段２０における本体枠２１の排出口部２１３が開閉蓋２２のパッキン２５で自動的に閉塞され、その閉塞状態が維持されることによって本体枠２１の排出口部２１３から結露水が流出することはない。そして、堰き止め手段２０における本体枠２１の排出口部２１３が開閉蓋２２のパッキン２５で自動的に閉塞された後、樋１１に残っていた結露水、または断熱内扉１０を解放後にその表面に結露して流下して樋１１に捕集される結露水は樋１１の排水口１１３から堰き止め手段２０の本体枠２１内に流れ込んで当該本体枠２１内に貯留される。この本体枠２１の容量は貯留された結露水が断熱内扉１０を開閉した場合にもこぼれないような大きさに定められていることから、本体枠２１に貯留された結露水が断熱内扉１０の開閉によってこぼれることはない。
【００１０】
また、前記断熱内扉１０を開けた際に本体枠２１内に貯留された結露水は断熱内扉１０を閉じた際に自動的に蒸発皿１２に排出される。すなわち、断熱内扉１０を閉じる過程において堰き止め手段２０の本体枠２１が遮蔽板１３の開口１３１を通って機械室内に入り込み、堰き止め手段２０の開閉蓋２２における回動軸２３が遮蔽板１３を境として機械室内に入り始めると前記開閉蓋２２の開閉操作部２２１の上端に形成した操作片２２１２（図２、図３参照）が遮蔽板１３の前面に当接する。前記操作片２２１２が遮蔽板１３の前面に当接後、断熱内扉１０が更に閉じられて堰き止め手段２０の開閉蓋２２における回動軸２３が遮蔽板１３を超えて機械室内に移動すると、開閉蓋２２が回動軸２３を中心として反時計方向に回動し、これに伴い開閉蓋２２のパッキン２５が本体枠２１の排水口部２１３から離れる。これによりパッキン２５により閉塞されていた排水口部２１３が開放されるので、本体枠２１内に貯留されていた結露水が当該排出口部２１３から蒸発皿１２に排出される。断熱内扉１０が完全に閉じられると開閉蓋２２は図１に示すように反時計方向に回動した状態に維持され、断熱内扉１０の表面に結露して流下する結露水は樋１１および堰き止め手段２０の本体枠２１を介して蒸発皿１２に導かれる。このように断熱内扉１０を閉じると堰き止め手段２０における開閉蓋２２が自動的に解放されることにより、例えばパッキン２５を手動で開閉する場合のようにパッキン２５を開け忘れるという人為的ミスをなくして確実に結露水を蒸発皿に導くことが可能となる。
【産業上の利用可能性】
【００１１】
この発明は商品収納庫を断熱仕切板により左右に複数のホット室，コールド室に仕切り、ホット室，コールド室に商品収納ラックを収設した自動販売機に限らず、庫内を断熱仕切板により区画することなくコールド室のみとして紙パック商品などを販売する自動販売機に適用することができ、実施の形態に記載した自動販売機に限定されるものではない。
【図面の簡単な説明】
【００１２】
【図１】本発明の実施の形態を示す堰き止め手段の要部拡大図である。
【図２】図１に示す堰き止め手段を示し、（ａ）は堰き止め手段を前方斜め上方から見た斜視図であり、（ｂ）は堰き止め手段を背面斜め上方から見た斜視図である。
【図３】図２（ａ）に示した堰き止め手段の一部（樋）を破断した斜視図である。
【図４】一般的な自動販売機の概略構成を示す斜視図である。
【符号の説明】
【００１３】
１    本体キャビネット
６    外扉
１０    断熱内扉
１１    樋
１２    蒸発皿
１３    遮蔽板
２０    堰き止め手段
２１    本体枠
２２    開閉蓋
２３    回動軸
２４    付勢ばね（付勢手段）
２５    パッキン
１１３    排水口
２１３    排水口部
２２１２    操作片
【図１】
2008097497.tif 000003
【図２】
2008097497.tif 000004
【図３】
2008097497.tif 000005
【図４】
2008097497.tif 000006